(57)【特許請求の範囲】
【請求項１】
まつげに装着されるまつげエクステンション用人工毛の装着方法であって、
上記まつげエクステンション用人工毛は、最大径部の直径が上記まつげよりも細径に形成されており、
上記まつげエクステンション用人工毛が、上記まつげに対して、所定の角度を有するように、上記まつげエクステンション用人工毛をまつげの長さ方向において互いに異なる位置に固定する作業を１本のまつげに対して繰り返し行うことにより、複数本の上記まつげエクステンション用人工毛が装着されることを特徴とするまつげエクステンション用人工毛の装着方法。
【請求項２】
まつげに装着されるまつげエクステンション用人工毛の装着方法であって、
上記まつげエクステンション用人工毛は、最大径部の直径が上記まつげよりも細径に形成されており、
上記まつげエクステンション用人工毛が、上記まつげに対して、所定の角度を有するように、上記まつげエクステンション用人工毛をまつげの長さ方向と共に周方向において互いに異なる位置に固定する作業を１本のまつげに対して繰り返し行うことにより、複数本の上記まつげエクステンション用人工毛が装着されることを特徴とするまつげエクステンション用人工毛の装着方法。
【請求項３】
まつげに装着されるまつげエクステンション用人工毛の装着方法であって、
上記まつげエクステンション用人工毛は、最大径部の直径が上記まつげよりも細径に形成されており、
上記まつげエクステンション用人工毛が、上記まつげに対して、所定の角度を有するように、上記まつげエクステンション用人工毛をまつげの長さ方向において同一の位置、且つ周方向において異なる位置に固定する作業を１本のまつげに対して繰り返し行うことにより、複数本の上記まつげエクステンション用人工毛が装着されることを特徴とするまつげエクステンション用人工毛の装着方法。
【請求項４】
上記まつげエクステンション用人工毛は、最大径部の直径が０．０１ｍｍから０．１２ｍｍで形成されていることを特徴とする請求項１〜３のいずれか１項に記載のまつげエクステンション用人工毛の装着方法。
【請求項５】
上記まつげエクステンション用人工毛は、接着剤により固定されることを特徴とする請求項１〜４のいずれか１項に記載のまつげエクステンション用人工毛の装着方法。
【発明の詳細な説明】
【技術分野】
【０００１】
本発明は、まつげに装着するエクステンション用人工毛の装着方法に関するものである。
【背景技術】
【０００２】
従来より、まつげに人工毛を装着して、まつげの長さを延長することは、まつげのボリューム感を増大させると共に、目を大きく見せる効果があることが知られており、このような効果を持つまつげ用人工毛は、女性を中心として広く利用されている。
【０００３】
利用者は、自身で簡単に取付けることができる、いわゆる、つけまつげと称されるタイプのものを利用する方法、他方では、まつげ１本１本にまつげエクステンション用人工毛を装着する方法がある。後者の方法においては、より細かい作業が必要となるため、専門の店舗にて技師による施術を受けることが行われている。
【０００４】
上記のような施術においては、まつげエクステンション用人工毛は、まつげよりも径の太いものが用いられ、まつげ１本に対して、まつげエクステンション用人工毛１本を接着により装着し、まつげの長さ延長によるボリューム感を得ることが出来る。
【０００５】
しかしながら、まつげの本数には個人差があり、元々まつげの本数が少ない人もおり、上記のような装着方法にあっては、まつげ１本に対して、まつげエクステンション用人工毛１本を装着するために、まつげが少ない人は、まつげに充分なボリューム感を持たせることは困難であった。
【０００６】
また、まつげよりも径の太いものが用いられるために、まつげエクステンション用人工毛の重量が大きく、接着により装着した後に、接着箇所にかかる負担やまつげ自体にかかる負担が大きくなってしまう。
【０００７】
この結果として、装着したまつげエクステンション用人工毛の保ちが良くなく剥がれてしまったり、まつげ自体が抜け落ちてしまう原因にもなる。
【０００８】
そこで、このような視点から出願人は特許文献を調査したところ、特許文献１を発見した。特許文献１には、本体に溝を形成することにより、ボリューム感を維持しながらも、エクステンション用まつげの重さを軽くした結果、まつげへの負担を軽減すると共につけ心地を改良したエクステンション用まつげが開示されている。
【０００９】
しかしながら、特許文献１に開示されたエクステンション用まつげは、まつげ１本に対して、エクステンション用まつげ１本を装着することが開示されており、新たな効果が得られる装着方法を提案するものではなく、元々まつげが少ない人に対しては充分な効果が得られると言えるものではなかった。
【特許文献１】登録実用新案第３１６８６５９号公報
【発明の開示】
【発明が解決しようとする課題】
【００１０】
そこで、本発明は、まつげエクステンション用人工毛の装着方法であって、まつげ１本１本にかける負担を抑制すると共に、剥がれにくく保ちの良く、違和感のないつけ心地を実現し、元々まつげの少ない人にもボリューム感を与えることが出来るまつげエクステンション用人工毛の装着方法を提供する。
【課題を解決するための手段】
【００１１】
上記課題達成のため、請求項１記載の発明におけるまつげエクステンション用人工毛の装着方法にあっては、まつげに装着されるまつげエクステンション用人工毛の装着方法であって、上記まつげエクステンション用人工毛は、最大径部の直径が上記まつげよりも細径に形成されており、上記まつげエクステンション用人工毛が、上記まつげに対して、所定の角度を有するように、上記まつげエクステンション用人工毛をまつげの長さ方向において互いに異なる位置に固定する作業を１本のまつげに対して繰り返し行うことにより、複数本の上記まつげエクステンション用人工毛が装着されることを特徴とする。
【００１２】
請求項２記載の発明におけるまつげエクステンション用人工毛の装着方法にあっては、まつげに装着されるまつげエクステンション用人工毛の装着方法であって、上記まつげエクステンション用人工毛は、最大径部の直径が上記まつげよりも細径に形成されており、上記まつげエクステンション用人工毛が、上記まつげに対して、所定の角度を有するように、上記まつげエクステンション用人工毛をまつげの長さ方向と共に周方向において互いに異なる位置に固定する作業を１本のまつげに対して繰り返し行うことにより、複数本の上記まつげエクステンション用人工毛が装着されることを特徴とする。
【００１３】
請求項３記載の発明におけるまつげエクステンション用人工毛の装着方法にあっては、まつげに装着されるまつげエクステンション用人工毛の装着方法であって、上記まつげエクステンション用人工毛は、最大径部の直径が上記まつげよりも細径に形成されており、上記まつげエクステンション用人工毛が、上記まつげに対して、所定の角度を有するように、上記まつげエクステンション用人工毛をまつげの長さ方向において同一の位置、且つ周方向において異なる位置に固定する作業を１本のまつげに対して繰り返し行うことにより、複数本の上記まつげエクステンション用人工毛が装着されることを特徴とする。
【００１４】
従って、請求項１〜３記載の発明におけるまつげエクステンション用人工毛の装着方法にあっては、同じ長さ及び材質で構成された従来のまつげエクステンション用人工毛に比べて軽量である。また、まつげに対して所定の角度を有するように固定することにより、まつげの長さ方向の延長のみでなく、径方向においてもまつげを立体化させることが出来る。
【００１５】
また、請求項１〜３に記載の発明におけるまつげエクステンション用人工毛の装着方法にあっては、まつげ１本あたりに複数本のまつげエクステンション用人工毛がまつげから分岐するように固定される。
【００１６】
請求項４記載の発明におけるまつげエクステンション用人工毛の装着方法にあっては、上記まつげエクステンション用人工毛は、最大径部の直径が０．０１ｍｍから０．１２ｍｍで形成されていることを特徴とする。
【００１７】
一般にまつげの最大径部の直径は、０．０７ｍｍから０．１５ｍｍで形成されており、上記請求項２記載の発明におけるまつげエクステンション用人工毛にあっては、まつげよりも細径のまつげエクステンション用人工毛が選択可能となる。
【００１８】
請求項５記載の発明におけるまつげエクステンション用人工毛の装着方法にあっては、上記まつげエクステンション用人工毛は、接着剤により固定されることを特徴とする。
【００１９】
一般に、接着剤はグルーとも称され、アクリレート系の物質からなるものなどが従来より広く利用されている。
【発明の効果】
【００２０】
請求項１〜３記載の発明におけるまつげエクステンション用人工毛の装着方法にあっては、同じ長さ及び材質で構成された従来のまつげエクステンション用人工毛に比べて軽量であることにより、まつげ１本１本にかける負担を抑制すると共に、剥がれにくく保ちの良く、違和感のないつけ心地を有するまつげエクステンション用人工毛を提供することが出来る。
【００２１】
まつげに掛かる負担を軽減することが出来ると共に、単にまつげを長さ方向に延長するのみでなく、まつげ径方向への立体化により、まつげのボリューム感を増大することが出来る。
【００２２】
また、請求項１〜３に記載の発明におけるまつげエクステンション用人工毛の装着方法にあっては、まつげから分岐するように複数のまつげエクステンション用人工毛が配設されることにより、各まつげのボリューム感を増大させることが出来る。
また、まつげ１本１本を立体化してボリューム感を増大させることにより、元々まつげの少ない人のまつげにおいても充分にボリューム感を増大させることが出来る。
【００２３】
請求項４記載の発明におけるまつげエクステンション用人工毛の装着方法にあっては、まつげよりも細径のまつげエクステンション用人工毛を適宜選択することが出来る。
【００２４】
請求項５記載の発明におけるまつげエクステンション用人工毛の装着方法にあっては、従来広く用いられている方法により固定することが出来るため、装着の操作が簡便である。
【図面の簡単な説明】
【００２５】
【図１】図１は、本発明に係るまつげエクステンション用人工毛の装着方法の一実施の形態を示し、まつげの長さ方向と共に周方向において互いに異なる位置に３本のまつげエクステンション用人工毛を装着した状態のまつげの平面図である。
【図２】図２は、本発明に係るまつげエクステンション用人工毛の装着方法の一実施の形態を示し、まつげの長さ方向において同一の位置、且つ周方向において異なる位置に２本のまつげエクステンション用人工毛を装着した状態のまつげの平面図である。
【図３】図３は、本発明に係るまつげエクステンション用人工毛の装着方法の一実施の形態を示し、まつげエクステンション用人工毛をまつげへと取付ける過程を示した概念図である。
【図４】図４は、本発明に係るまつげエクステンション用人工毛の装着方法の一実施の形態を示し、複数のまつげに対して図１及び図２に示した装着方法を交互に配置した状態のまつげの平面図である。
【発明を実施するための最良の形態】
【００２６】
以下、本発明に係るまつげエクステンション用人工毛１０の装着方法について実施の形態に基づき、図面を参照して詳細に説明する。
【００２７】
（装着方法）
本発明に係るまつげエクステンション用人工毛１０の装着方法にあっては、図１及び図２に示すように、まつげ１１に装着されるまつげエクステンション用人工毛１０の装着方法であって、上記まつげエクステンション用人工毛１０は、最大径部１２の直径が上記まつげ１１よりも細径に形成されている。
【００２８】
図１及び図２においては、上記まつげエクステンション用人工毛１０は、まつげエクステンション用人工毛長さ方向端部１３が最大径部１２ａとして形成されており、直径は０．０６ｍｍである。毛先側であるまつげエクステンション用人工毛長さ方向他端部１４に向って直径が次第に小さくなるように形成されている。
上記まつげエクステンション用人工毛１０には、微小な湾曲（カール）が形成されている。
【００２９】
上記まつげ１１は、瞼端部２２に毛根を有しており、該毛根側の端部であるまつげ長さ方向端部１５が最大径部１２ｂとなっており、直径は０．１４ｍｍであり、毛先側であるまつげ長さ方向他端部１６に向って直径が次第に小さくなるように形成されている。
【００３０】
上記まつげエクステンション用人工毛１０が、上記まつげ１１に対して、所定の角度αを有するように固定されている。
図１及び図２においては、まつげエクステンション用人工毛胴部１８とまつげエクステンション用人工毛長さ方向端部１３とまつげ胴部１９によって形成される所定の角度αは１０°に形成されている。
【００３１】
上記まつげエクステンション用人工毛１０は、接着剤（図示せず）により固定されている。
図３に示すように、上記まつげエクステンション用人工毛１０を装着施術する専門の技師により、小型ピンセット２０を用いて、まつげエクステンション用人工毛１０を１本挟持された状態において、まつげエクステンション用人工毛長さ方向端部１３の固定部２１に接着剤（図示せず）が少量塗布される。
【００３２】
小型ピンセット２０は、上記のような細径のまつげエクステンション用人工毛１０を把持しやすいように、互いに当接する先端部内側には粗面加工が施されている。
【００３３】
固定部２１に接着剤（図示せず）が少量塗布されたまつげエクステンション用人工毛１０は、まつげ１１に固定される。この際、まつげエクステンション用人工毛１０は、まつげ１１の径方向外方に向って湾曲（カール）するように揃えて固定される。この作業を１本のまつげ１１に対して繰り返し行うことにより、複数本のまつげエクステンション用人工毛１０が装着される。
【００３４】
図１において、上記まつげエクステンション用人工毛１０は、まつげ１１の長さ方向と共に周方向において互いに異なる位置に複数本固定されている。本実施の形態においては、図１に示すように、３本がまつげ１１に固定されている。
【００３５】
上記３本のまつげエクステンション用人工毛１０のうち、上記まつげエクステンション用人工毛１０ａ、１０ｂは、まつげ１１の長さ方向において互いに異なる位置に２本固定されている。
【００３６】
図２における上記まつげエクステンション用人工毛１０は、まつげ１１の長さ方向において同一の位置、且つ周方向において異なる位置に複数本固定されている。本実施の形態においては、図２に示すように、２本がまつげ１１に固定されている。
【００３７】
さらに図４においては、上記のように１本のまつげ１１にまつげエクステンション用人工毛１０が複数本固定されて装着されたものが複数本のまつげ１１に施されている。
【００３８】
本発明に係るまつげエクステンション用人工毛１０を製造する場合には、ポリエステル原糸を、目的に合わせて所定の長さにカットし、カットされた原糸は一定の径毎に仕分けされ、湾曲（カール）を施すために目的とする湾曲を有する棒に巻き付けてオーブンにて２〜３時間に亘り熱乾燥させた後、冷却して製造される。
【００３９】
以下、本実施の形態に係るまつげエクステンション用人工毛１０の装着方法の作用について図面を用いて詳細に説明する。
【００４０】
図１及び図２に示すように、本実施の形態に係るまつげエクステンション用人工毛１０はまつげ１１よりも細径に形成されていることから、同じ長さ及び材質で構成された従来のまつげエクステンション用人工毛に比べて軽量であるため、まつげエクステンション用人工毛１０の１本あたりにおけるまつげ１１及びまつげ１１への固定部２０にかかる負荷が軽減される。
【００４１】
小型ピンセット２０にてまつげエクステンション用人工毛１０を把持する際には、小型ピンセット２０の互いに当接する先端部内側が、粗面加工が施されていることにより、細径のまつげエクステンション用人工毛１０をしっかりと把持することが出来る。
【００４２】
図１及び２に示すように、まつげエクステンション用人工毛１０を、まつげ１１に対して所定の角度αを有するように固定することにより、まつげ１１の長さ方向の延長のみでなく、径方向においてもまつげ１１を立体化させる。
【００４３】
さらに図１から図４に示すように、まつげエクステンション用人工毛１０にカールを形成させ、まつげ１１の径方向外方に向ってカールするように固定することにより、同じ所定の角度αにて固定した場合に比べて、まつげエクステンション用人工毛他端部１４が、よりまつげ１１の径方向外方に広がることにより、まつげ１１径方向において、立体化させることが出来る。
【００４４】
また、例えば図４のように、さらに、上記装着施術を全てのまつげ１１に施すことにより、まつげ１１全体を長さ方向及び径方向に立体化させることが出来る。
【００４５】
まつげ１１が少なく、まつげ１１の間隙が大きい人であっても、径方向にも立体化される上記装着方法によれば、全体を充分に立体化させることが出来る。
【００４６】
上記実施の形態においては、接着剤（図示せず）を用いて固定する例を説明したが、これに限定されるものではなく、他の固定方法であっても良い。
【産業上の利用可能性】
【００４７】
本発明に係るまつげエクステンション用人工毛の装着方法は、まつげエクステンションを施す専門店等において広く利用されるものであり、産業上利用可能性を有している。
【符号の説明】
【００４８】
１０    まつげエクステンション用人工毛
１１    まつげ
１２    最大径部
１３    まつげエクステンション用人工毛長さ方向端部
１４    まつげエクステンション用人工毛長さ方向他端部
１５    まつげ長さ方向端部
１６    まつげ長さ方向他端部
１８    まつげエクステンション用人工毛胴部
１９    まつげ胴部
２０    小型ピンセット
２１    固定部
２２    瞼端部
【図１】
0005955355.tif 000002
【図２】
0005955355.tif 000003
【図３】
0005955355.tif 000004
【図４】
0005955355.tif 000005